(57)【要約】【課題】  被写体や撮影場所の特定が容易な地図画像をプリント出力する画像出力装置、地図画像を被写体や撮影場所の特定が容易な地図画像に変換する画像変換プログラム、および画像変換プログラム記憶媒体を提供することを目的とする。【解決手段】  撮影画像を取得すると共に、撮影画像の撮影場所も取得する撮影画像取得部と、撮影場所が各々に記された互いに縮尺が異なる複数の地図画像を作成する地図作成部と、地図作成部によって作成された複数の地図画像を、それら複数の地図画像が再現可能な１つのレンチキュラーレンズ用画像に変換する画像変換部と、所定のシートの表裏両面のうちの第１面に撮影画像を出力し、第２面にレンチキュラーレンズ用画像を出力する画像出力部と、シートの第２面上に、レンチキュラーレンズ用画像から複数の地図画像を再現するレンチキュラーレンズを貼り付けるレンズ貼り付け部とを備えた。【選択図】        図１１
2006208685.tif 000002
【特許請求の範囲】
【請求項１】
撮影画像を取得すると共に、該撮影画像の撮影場所も取得する撮影画像取得部と、
前記撮影場所が各々に記された互いに縮尺が異なる複数の地図画像を作成する地図作成部と、
前記地図作成部によって作成された複数の地図画像を、それら複数の地図画像が再現可能な１つのレンチキュラーレンズ用画像に変換する画像変換部と、
所定のシートの表裏両面のうちの第１面に前記撮影画像を出力し、該第１面の裏側の第２面に前記レンチキュラーレンズ用画像を出力する画像出力部と、
前記シートの第２面上に、前記レンチキュラーレンズ用画像から前記複数の地図画像を再現するレンチキュラーレンズを貼り付けるレンズ貼り付け部とを備えたことを特徴とする画像出力装置。
【請求項２】
前記撮影画像取得部が、前記撮影画像の撮影時における撮影方向も取得するものであり、
前記地図作成部が、前記撮影方向も記された地図画像を作成するものであることを特徴とする請求項１記載の画像出力装置。
【請求項３】
前記撮影画像取得部が、１つ以上の撮影画像を取得するものであり、
前記地図作成部が、前記撮影画像取得部で複数の撮影画像が取得された場合に、それら複数の撮影画像それぞれの撮影場所を繋ぐ移動経路を求め、その移動経路も記された地図画像を作成するものであることを特徴とする請求項１記載の画像出力装置。
【請求項４】
コンピュータシステム内で実行され、該コンピュータシステム上に、
撮影画像を取得すると共に、該撮影画像の撮影場所も取得する撮影画像取得部と、
前記撮影場所が各々に記された互いに縮尺が異なる複数の地図画像を作成する地図作成部と、
前記地図作成部によって作成された複数の地図画像を、それら複数の地図画像が再現可能な１つのレンチキュラーレンズ用画像に変換する画像変換部とを構成することを特徴とする画像変換プログラム。
【請求項５】
コンピュータシステム内で実行され、該コンピュータシステム上に、
撮影画像を取得すると共に、該撮影画像の撮影場所も取得する撮影画像取得部と、
前記撮影場所が各々に記された互いに縮尺が異なる複数の地図画像を作成する地図作成部と、
前記地図作成部によって作成された複数の地図画像を、それら複数の地図画像が再現可能な１つのレンチキュラーレンズ用画像に変換する画像変換部とを構成する画像変換プログラムが記憶されてなることを特徴とする画像変換プログラム記憶媒体。
【発明の詳細な説明】
【技術分野】
【０００１】
本発明は、記録媒体上に撮影画像をプリント出力する画像出力装置、画像をレンチキュラーレンズ用の画像に変換する画像変換プログラム、および、そのような画像変換プログラムが記憶された画像変換プログラム記憶媒体に関する。
【背景技術】
【０００２】
近年、携帯電話やカーナビゲーションシステムなどといった様々な装置に、衛星から発信される電波を受信することによって、その装置を使用しているユーザの現在位置を取得するＧＰＳ（Ｇｌｏｂａｌ  Ｐｏｓｉｔｉｏｎｉｎｇ  Ｓｙｓｔｅｍ）機能が搭載されてきている。携帯電話やカーナビゲーションシステムにおいては、このＧＰＳ機能が、現在位置から目的の場所までの道のりを知らせる道案内機能などを実現するために用いられている。
【０００３】
また、近年では、ＧＰＳ機能をデジタルカメラにも搭載しようという動きがある。デジタルカメラにおいては、上述した携帯電話やカーナビゲーションシステムなどとは異なり、ＧＰＳ機能が、ユーザの現在位置を取得するためではなく、被写体や撮影場所を後で確認するために用いられると考えられる。ＧＰＳ機能が搭載されたデジタルカメラでは、被写体が撮影されると、その撮影場所を表わす緯度や経度等が取得され、撮影画像と撮影場所の情報とがいっしょに小型記憶媒体に記憶される。ラボや写真店では、小型記憶媒体に記憶された撮影画像が写真の表面にプリント出力されるとともに、撮影画像の余白や、焼き増し注文用のインデックスプリントや、写真の裏面などに撮影場所の情報が出力される。ユーザは、プリント出力された撮影画像と撮影場所の情報とを確認することによって、その写真をどこで撮影したのかを思い出すことができる。また、特許文献１には、撮影場所を中心とした地図画像を作成し、その地図画像中に撮影画像を合成する技術について記載されており、特許文献２には、撮影画像と、その撮影場所に関する情報や地図画像などをいっしょにプリント出力するプリント装置について記載されている。これらの技術は、基本的には、撮影画像と地図画像などを合成するための技術であるが、作成された地図画像が写真の裏面にプリント出力されることによって、緯度や経度といった情報そのものが印字されるよりも撮影場所を確認しやすくなる。
【特許文献１】特開平１１−３０８５６６号公報
【特許文献２】特開２００１−８１４０号公報
【発明の開示】
【発明が解決しようとする課題】
【０００４】
しかし、例えば、観光旅行中に撮影した写真の裏面に、その旅行先での撮影場所付近が詳細に示された狭い範囲の地図画像がプリント出力されても、その撮影場所がどこであるのかわかりづらい。逆に、家の近所などで撮影した写真の裏面に、県全体のような広い範囲の地図画像がプリント出力されても、その撮影場所を特定できずに意味がない。また、遠くにある山と、近くの建物とを同時に撮影した写真では、遠くの山に合わせた広い範囲の地図画像では近くの建物を特定できず、近くの建物に合わせた狭い範囲の地図画像では、遠くの山が入らないなど、遠近両方の被写体をわかりやすく示すことができない。
【０００５】
このように、その撮影場所がユーザにとって馴染みのある場所であるかということや、複数の被写体の位置関係などによって要望される地図が異なる。この要望を満たすためには、例えば、縮尺が異なる複数の地図画像を写真の裏面などに並べてプリント出力することなどが考えられるが、この場合、１つ１つの地図が小さくなるため、見にくくなってしまうという問題がある。
【０００６】
本発明は、上記事情に鑑み、被写体や撮影場所の特定が容易な地図画像をプリント出力する画像出力装置、地図画像を見やすい画像に変換する画像変換プログラム、および画像変換プログラム記憶媒体を提供することを目的とする。
【課題を解決するための手段】
【０００７】
上記目的を達成する本発明の画像出力装置は、撮影画像を取得すると共に、その撮影画像の撮影場所も取得する撮影画像取得部と、
撮影場所が各々に記された互いに縮尺が異なる複数の地図画像を作成する地図作成部と、
地図作成部によって作成された複数の地図画像を、それら複数の地図画像が再現可能な１つのレンチキュラーレンズ用画像に変換する画像変換部と、
所定のシートの表裏両面のうちの第１面に撮影画像を出力し、第１面の裏側の第２面にレンチキュラーレンズ用画像を出力する画像出力部と、
シートの第２面上に、レンチキュラーレンズ用画像から複数の地図画像を再現するレンチキュラーレンズを貼り付けるレンズ貼り付け部とを備えたことを特徴とする。
【０００８】
レンチキュラーレンズは、縦方向に延びるかまぼこ状のレンズが横方向に複数並べられた板状のレンズアレイであり、複数の画像が加工されて横方向に組み合わされたレンチキュラーレンズ用画像上にレンチキュラーレンズが設けられると、そのレンチキュラーレンズ用画像を眺める角度に応じて、複数の画像それぞれを独立して見ることができるという特徴がある。本発明の画像出力装置によると、シートの第１面に撮影画像が出力されるとともに、シートの第２面に相互に異なる縮尺の複数の地図画像からなるレンチキュラーレンズ用画像が出力され、さらに、そのレンチキュラーレンズ画像の上にレンチキュラーレンズが設けられる。したがって、シートの第２面を様々な角度から眺めることによって、撮影場所が記された複数縮尺の地図画像それぞれを、本来の大きさのままで確認することができ、被写体や撮影場所を容易に特定することができる。
【０００９】
また、本発明の画像出力装置において、上記撮影画像取得部が、撮影画像の撮影時における撮影方向も取得するものであり、
地図作成部が、撮影方向も記された地図画像を作成するものであることが好ましい。
【００１０】
撮影場所とともに、撮影方向も記された地図画像が作成されることによって、ユーザは撮影画像と同じアングルでの撮影を再現することができる。また、地図画像に撮影方向が記されることによって、撮影画像中の海や山などといった被写体を容易に特定することができる。
【００１１】
また、本発明の画像出力装置において、上記撮影画像取得部が、１つ以上の撮影画像を取得するものであり、
地図作成部が、撮影画像取得部で複数の撮影画像が取得された場合に、それら複数の撮影画像それぞれの撮影場所を繋ぐ移動経路を求め、その移動経路も記された地図画像を作成するものであることが好適である。
【００１２】
本発明の好適な形態の画像出力装置によると、複数の撮影画像それぞれの撮影場所を繋ぐ移動経路も地図画像に記されるため、ユーザは、旅行先などにおける移動経路を後で思い出すことができる。
【００１３】
また、上記目的を達成する本発明の画像変換プログラムは、コンピュータシステム内で実行され、そのコンピュータシステム上に、
撮影画像を取得すると共に、撮影画像の撮影場所も取得する撮影画像取得部と、
撮影場所が各々に記された互いに縮尺が異なる複数の地図画像を作成する地図作成部と、
地図作成部によって作成された複数の地図画像を、それら複数の地図画像が再現可能な１つのレンチキュラーレンズ用画像に変換する画像変換部とを構築することを特徴とする。
【００１４】
本発明の画像変換プログラムによると、互いに縮尺が異なる複数の地図画像が、それら複数の地図画像が再現可能なレンチキュラーレンズ用画像に変換される。
【００１５】
ここで、本発明の画像変換プログラムによって構築される地図作成部などといった構成要素は、１つの構成要素が１つのプログラム部品によって構築されるものであってもよく、１つの構成要素が複数のプログラム部品によって構築されるものであってもよく、複数の構成要素が１つのプログラム部品によって構築されるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【００１６】
また、上記目的を達成する本発明の画像変換プログラム記憶媒体は、コンピュータシステム内で実行され、そのコンピュータシステム上に、
撮影画像を取得すると共に、撮影画像の撮影場所も取得する撮影画像取得部と、
撮影場所が各々に記された互いに縮尺が異なる複数の地図画像を作成する地図作成部と、
地図作成部によって作成された複数の地図画像を、それら複数の地図画像が再現可能な１つのレンチキュラーレンズ用画像に変換する画像変換部とを構築する画像変換プログラムが記憶されてなることを特徴とする。
【００１７】
この画像変換プログラム記憶媒体は、ＣＤ−Ｒ，ＣＤ−ＲＷ，ＭＯなどといった大容量の記憶媒体のほか、ハードディスクなどであってもよい。
【発明の効果】
【００１８】
本発明によれば、被写体や撮影場所の特定が容易な地図画像をプリント出力する画像出力装置、地図画像を被写体や撮影場所の特定が容易な地図画像に変換する画像変換プログラム、および画像変換プログラム記憶媒体を提供することができる。
【発明を実施するための最良の形態】
【００１９】
以下、本発明の実施形態について説明する。尚、以下では、画像を表わす画像データを、単に画像と称して説明する。
【００２０】
図１は、画像データに基づいて画像を写真プリントするプリントシステムの外観斜視図である。
【００２１】
プリントシステム１０は、写真フィルム上に記録された撮影画像を光学的に読み取ったり、あるいはデジタルカメラ等で撮影されて小型記憶媒体に記憶された撮影画像を小型記憶媒体から読み込み、それらの撮影画像に所定の画像補正処理を施してから、撮影画像を写真プリントやＣＤ−ＲＯＭなどに記録する装置である。
【００２２】
このプリントシステム１０は、画像入力機１００と、プリンタ２００とで構成されている。
【００２３】
画像入力機１００は、現像済み写真フィルムからその写真フィルムに記録された複数の撮影画像を光電的にコマごとに順次読み取るスキャナ１１０と、撮影画像に対し所定の画像補正処理を行う画像処理装置１２０とを備えている。画像入力機１００を構成している各部の詳細については後述する。
【００２４】
また、プリンタ２００は、トナーによって用紙上に画像を形成する電子写真方式が適用されたプリンタである。このプリンタ２００は、プリンタ２００を構成する各種要素を制御する制御部２１０と、用紙上にトナー画像を形成する作像部２２０とを備えている。プリンタ２００の内部構成についても後述する。
【００２５】
まず、画像入力機１００のスキャナ１１０の構成と、写真フィルム上に記録された撮影画像を読み取る一連の手順について説明する。
【００２６】
図２は、スキャナ１１０の構成を示す模式図である。
【００２７】
スキャナ１１０には、ＬＥＤ１１２Ａと、拡散ボックス１１２Ｂと、温調ユニット１１２Ｃとからなる光源１１１が備えられている。現像済みの写真フィルム２０がフィルムキャリア１１９にセットされ、写真フィルム２０が矢印Ａ方向に給送されてくると、ＬＥＤ１１２Ａによって、まずはＲ（レッド）の光が発せられる。発せられた光は拡散ボックス１１２Ｂを経由して、写真フィルム２０を図２に示すように下側から照射する。写真フィルム２０を透過した光は、撮像レンズ１１３を経由して、ＮＤフィルタ１１４で光量が調整されて、ＣＣＤ１１５およびＣＣＤ基板１１６に達する。撮像レンズ１１３は、レンズ駆動部（図示しない）によって駆動されて焦点距離が調整され、その焦点距離に応じた倍率の画像がＣＣＤ１１５のセンサ面に結像されて、ＣＣＤ１１５において撮影画像信号が生成される。ＣＣＤ１１５で得られた撮影画像信号は、Ａ／Ｄ変換器１１８でデジタルの撮影画像信号に変換されて画像処理装置１２０に伝達される。
【００２８】
光源１１１からＲ色の光が発せられて、そのＲ光の下でコマの画像の読み取りが行われると、続いて、光源１１１からＧ（グリーン）色の光が発せられてコマの画像の読み取りが行われ、さらに、Ｂ（ブルー）色の光での画像の読み取りが行われる。読み取られた撮影画像は図１に示す画像処理装置１２０に送られて、撮影画像に各種補正処理が施される。全ての光における１コマ分の画像の読み取りが終了すると、写真フィルム２０が矢印Ａ方向に給送されて、次のコマの読み取りが開始される。
【００２９】
ここで、このスキャナ１１０では、同じ画像が２回読み取られ、１回目の読み取り（プレスキャン）のときは、ＣＣＤ１１５では飛び飛びに間引かれた受光素子でのみ画像読み取りが行われ、その結果粗い画像が得られる。プレスキャンの後、読み取られた撮影画像、および予め用意されている設定用画面（図示しない）が図１に示す画像処理装置１２０のＣＲＴディスプレイ１３０に表示される。オペレータは、ＣＲＴディスプレイ１３０に表示された撮影画像および設定用画面を確認して、プリントサイズや解像度などといった画像取得条件を指定する。画像取得条件が指定されると、必要に応じて撮像レンズ１１３は指定されたプリントサイズに応じた焦点距離に調整される。さらに写真フィルム２０は矢印Ｂ方向に給送されて、ＣＣＤ１１５では、指定された解像度で、２回目の撮影画像の読み取りが行われる（ファインスキャン）。位置ずらしピエゾ１１７は、ＣＣＤ１１５における読取位置を、例えば１／２画素分だけ正確にずらすためのものである。初めの読取位置で読み取られた画像と、読取位置がずらされて読み取られた画像とを合成することによって、ＣＣＤ１１５自体の解像度よりも高い解像度で画像を読み取ることができる。
【００３０】
次に、画像入力機１００の画像処理装置１２０の構成について説明する。
【００３１】
図１に示すように、画像処理装置１２０は、ＣＰＵやハードディスク等が内蔵された本体１６０、この本体１６０からの指示により表示画面上に画像や文字列の表示を行うＣＲＴディスプレイ１３０、このコンピュータにユーザの指示や文字情報を入力するためのキーボード１４０、上記ＣＲＴディスプレイ１３０の表示画面上の任意の位置を指定することにより、その位置に表示されているアイコン等に応じた指示を入力するマウス１５０を備えている。
【００３２】
図３は、画像処理装置１２０のハードウェア構成図である。
【００３３】
画像処理装置１２０には、図１にも示す本体部１６０を構成する、各種のプログラムが実行されるＣＰＵ（中央演算処理装置）１７１、ＣＰＵ１７１で各種プログラムが実行される際の作業領域として使用されるＲＡＭ１７２、固定的な定数等が格納されたＲＯＭ１７３、画像入力機１００内の各部の制御を行うための制御信号を入出力する制御インタフェース１７４、図１および図２のスキャナ１１０から画像が入力される画像インタフェース１７５、各種データが記憶されるハードディスク１７６、撮影画像データが記憶された小型記憶媒体１６３にアクセスする小型記憶媒体ドライブ１６２、各種プログラムなどが記憶されたＣＤ−ＲＯＭ１６５にアクセスするＣＤ−ＲＯＭドライブ１６４、およびプリンタ２００に各種制御指示や撮影画像データ等を送信する外部インタフェース１７７などが内蔵されており、これらの各種要素と、図１にも示したＣＲＴディスプレイ１３０、キーボード１４０、マウス１５０は、バス１７８を介して相互に接続されている。
【００３４】
ここで、図３に示すＣＤ−ＲＯＭ１６５には、本発明の画像変換プログラムの一実施形態である画像処理プログラムが記憶されている。このＣＤ−ＲＯＭ１６５は本体１６０内に装填され、そのＣＤ−ＲＯＭ１６５に記憶された画像処理プログラムがＣＤ−ＲＯＭドライブ１６４によって読み込まれ、バス１７８を経由してハードディスク１７６内にインストールされる。
【００３５】
このハードディスク１７６内にインストールされた画像処理プログラムが起動されると、このハードディスク１７６内の画像処理プログラムはＲＡＭ１７２にロードされ、ＣＰＵ１７１により実行される。本発明の画像変換プログラムの一実施形態が起動されて実行されると、画像処理装置１２０は、本発明の画像出力装置の一実施形態における、画像変換に関する部分として動作する。
【００３６】
図３では、画像処理プログラムを記憶する記憶媒体としてＣＤ−ＲＯＭ１６５が例示されているが、本発明の画像変換プログラムを記憶する記憶媒体はＣＤ−ＲＯＭに限られるものではなく、それ以外の光ディスク、ＭＯ、フレキシブルディスク（ＦＤ）、磁気テープなどの記憶媒体であってもよい。また、本発明の画像変換プログラムは、記憶媒体を介さずに、通信網を介して直接に画像処理装置１２０に供給されるものであってもよい。
【００３７】
図４は、本発明の画像変換プログラムの一実施形態である画像処理プログラムを示す図である。
【００３８】
この画像処理プログラム３０１は、図３に示す画像処理装置１２０内で実行され、その画像処理装置１２０を本発明の画像出力装置の一実施形態における一部分として動作させるものであり、撮影画像取得部３１０と、画像補正部３２０と、地図作成部３３０と、地図変換部３４０とを有する。この画像処理プログラム３０１の各要素については後述する。
【００３９】
図５は、画像処理装置１２０の機能ブロック図である。
【００４０】
画像処理装置１２０は、撮影画像取得部４１０と、画像補正部４２０と、地図作成部４３０と、地図変換部４４０と、地図ＤＢ４５０とを有している。
【００４１】
撮影画像取得部４１０、画像補正部４２０、地図作成部４３０、地図変換部４４０は、それぞれ、図４に示す画像処理プログラム３０１を構成する、撮影画像取得部３１０、画像補正部３２０、地図作成部３３０、および地図変換部３４０によって構築される。従って、図５の各要素と図４の各要素は互いに対応しているが、図５の各要素は、コンピュータのハードウェアとそのコンピュータで実行されるＯＳやアプリケーションプログラムとの組合せで構成されているのに対し、図４に示す画像処理プログラム３０１の各要素はそれらのうちのアプリケーションプログラムのみにより構成されている点が異なる。
【００４２】
撮影画像取得部４１０は、本発明の画像出力装置における撮影画像取得部の一例にあたり、以下同様に、地図作成部４３０は地図作成部の一例、地図変換部４４０は画像変換部の一例にそれぞれ相当する。
【００４３】
以下、図５に示す画像処理装置１２０の各要素を説明することによって、図４に示す画像処理プログラム３０１の各要素も併せて説明する。
【００４４】
図５の画像処理装置１２０を構成する撮影画像取得部４１０では、図１に示すスキャナ１１０で読み取られて得られた撮影画像や、図３に示す小型記憶媒体１６３に記憶され、小型記憶媒体ドライブ１６２を介して得られた撮影画像が、１ジョブ分（写真フィルム１本分、あるいは小型記憶媒体１つ分）ずつ取得される。
【００４５】
ここで、撮影画像取得部４１０で取得される撮影画像には、撮影日時の情報や、デジタルカメラなどに搭載されたＧＰＳ機能によって取得された撮影場所の位置情報（緯度、経度、高度など）や撮影方向情報などが付加されているものがある。撮影画像は、画像補正部４２０に送られ、付加情報は、地図作成部４３０に伝えられる。
【００４６】
画像補正部４２０では、撮影画像取得部４１０から送られてきた撮影画像に所定の画像補正処理が施される。ここで実行される画像補正処理としては、蛍光灯の下で撮影された撮影画像が全体的に白っぽくなってしまう白カブリを補正する処理や、閃光が網膜の奥で反射して目が赤色や金色に写ってしまう赤目や金目を修正する処理や、閃光によって目をつぶってしまう目瞑りを修正する処理、空の色や肌の色を見た目に好ましい色に修正する処理、および階調補正処理などが存在する。画像補正処理が施された撮影画像は、外部インタフェース１７７を介してプリンタ２００に送られる。
【００４７】
また、地図ＤＢ４５０は、図３に示すハードディスク１７６がその役割を担うものである。地図ＤＢ４５０には、位置情報と対応付けられた、複数縮尺それぞれの基本地図画像が予め記憶されている。地図作成部４３０は、撮影画像取得部４１０から付加情報が伝えられると、まず、その付加情報に位置情報が含まれているか否かを判定する。付加情報に位置情報が含まれているときには、地図ＤＢ４５０に記憶されている複数縮尺の基本地図画像を取得し、それらの基本地図画像を、位置情報が表わす撮影場所を中心とした所定の大きさの枠で切り取り、複数縮尺それぞれの地図画像を生成する。続いて、地図作成部４３０は、付加情報に撮影方向情報が含まれているか否かを判定し、撮影方向情報が含まれているときには、生成した複数縮尺の地図画像それぞれに撮影方向を指し示す矢印を付加する。さらに、地図作成部４３０は、１ジョブ分の位置情報が表わす複数の撮影場所を順番に結んで移動経路を求め、その移動経路も複数縮尺の地図画像それぞれに付加する。地図作成部４３０で生成された複数縮尺の地図画像は、地図変換部４４０に送られる。
【００４８】
地図変換部４４０では、地図作成部４３０から送られてきた複数縮尺の地図画像に基づいて、レンチキュラーレンズ用の地図画像が生成される。
【００４９】
ここで、一旦図５の説明を中断し、図６、および図７を使ってレンチキュラーレンズと、レンチキュラーレンズ用の画像について説明する。
【００５０】
レンチキュラーレンズは、かまぼこ状の長いレンズが並行に複数並べられたレンズアレイである。以下では、レンズが延びる長手方向を長さ方向と称し、レンズが並べられた方向を幅方向と称する。レンズの複数の画像が加工されたレンチキュラーレンズ用画像（レンチキュラーレンズ用画像については、後で詳しく説明する）の上に貼り付けられると、そのレンチキュラーレンズ用画像を眺める角度に応じて、それら複数の画像それぞれが独立して見えるという特徴を有するものである。
【００５１】
図６は、レンチキュラーレンズ用画像を示す模式図である。
【００５２】
レンチキュラーレンズは多数のかまぼこ状のレンズが並べられて構成されるが、説明の便宜上、ここでは、レンズ３つ分に着目して説明する。
【００５３】
例えば、図６のパート（Ａ）に示す３つの画像３１Ａ，３１Ｂ，３１Ｃを使ってレンチキュラーレンズ用画像を生成する場合、まずは、レンチキュラーレンズのシートに含まれる個々のレンズの幅に合わせて、それら３つの画像３１Ａ，３１Ｂ，３１Ｃそれぞれが幅方向にｎ個（ここではレンズ数に等しい３個）の領域に分割される。すなわち、左の画像３１Ａが３つの領域３１Ａ＿１，３１Ａ＿２，３１Ａ＿３に分割され、中央の画像３１Ｂが３つの領域３１Ｂ＿１，３１Ｂ＿２，３１Ｂ＿３に分割され、右の画像３１Ｃが３つの領域３１Ｃ＿１，３１Ｃ＿２，３１Ｃ＿３に分割される。
【００５４】
続いて、分割された各領域が幅方向に画像の数分だけ縮小される。この図６に示す例では画像が３つなので各領域は１／３に縮小される。そして、そのように縮小された３つの画像３１Ａ，３１Ｂ，３１Ｃそれぞれの領域が交互に幅方向に並べられる。すなわち、図６のパート（Ｂ）に示すように、左の画像３１Ａにおける左の領域３１Ａ＿１，中央の画像３１Ｂにおける左の領域３１Ｂ＿１，右の画像３１Ｃにおける左の領域３１Ｃ＿１，左の画像３１Ａにおける中央の領域３１Ａ＿２，…，左の画像３１Ａにおける右の領域３１Ａ＿３，中央の画像３１Ｂにおける右の領域３１Ｂ＿３，右の画像３１Ｃにおける右の領域３１Ｃ＿３と並べられ、レンチキュラーレンズ用画像３２が生成される。
【００５５】
図７は、レンチキュラーレンズ用画像３２と、そのレンチキュラーレンズ用画像３２に貼り付けられたレンチキュラーレンズシートとを上からみた図である。
【００５６】
レンチキュラーレンズシート４０は、長さ方向に延びる３つのレンズ４０＿１，４０＿２，４０＿３で構成されている。また、レンチキュラーレンズシート４０は、３つのレンズ４０＿１，４０＿２，４０＿３それぞれが、図６にも示すレンチキュラーレンズ用画像３２を構成する各領域を３つずつ覆うように貼り付けられている。
【００５７】
レンチキュラーレンズシート４０が貼り付けられたレンチキュラーレンズ用画像３２を左側の位置Ｐ１から眺めると、各レンズ４０＿１，４０＿２，４０＿３によって、それらのレンズ４０＿１，４０＿２，４０＿３それぞれが覆う領域のうち一番右側に配置された領域３１Ｃ＿１，３１Ｃ＿２，３１Ｃ＿３からの光束が届けられ、図６のパート（Ａ）に示す右側の画像３１Ｃが見える。また、レンチキュラーレンズ用画像３２を中央の位置Ｐ２から眺めると、各レンズ４０＿１，４０＿２，４０＿３によって、中央に配置された領域３１Ｂ＿１，３１Ｂ＿２，３１Ｂ＿３からの光束が届けられて、図６のパート（Ａ）に示す中央の画像３１Ｂが見え、レンチキュラーレンズ用画像３２を右の位置Ｐ３から眺めると、各レンズ４０＿１，４０＿２，４０＿３によって、左側に配置された領域３１Ａ＿１，３１Ａ＿２，３１Ａ＿３からの光束が目に届き、図６のパート（Ａ）に示す左側の画像３１Ａが本来のサイズで見える。
【００５８】
このように、レンチキュラーレンズシート４０をレンチキュラーレンズ用画像３２上に貼り付けることにより、レンチキュラーレンズ用画像３２を眺める角度に応じて、そのレンチキュラーレンズ用画像３２が生成される元になった複数の画像それぞれを独立に、かつ本来のサイズで再現することができる。
【００５９】
図５に戻って説明する。
【００６０】
例えば、図５に示す地図作成部４３０から地図変換部４４０に、３つの縮尺の地図画像送られてきたときには、地図変換部４４０は、それら３つの縮尺の地図画像を使って、図６のパート（Ｂ）に示すようなレンチキュラーレンズ用の地図画像を生成する。生成されたレンチキュラーレンズ用地図画像は、撮影画像と同様に、外部インタフェース１７７を介してプリンタ２００に送られる。
【００６１】
画像入力機１００は、基本的には以上のように構成されている。
【００６２】
次に、プリンタ２００の構成、およびプリンタ２００に伝達された撮影画像やレンチキュラーレンズ用地図画像を写真にプリント出力する一連の手順について説明する。
【００６３】
図８は、プリンタ２００の内部構造を示す模試図である。
【００６４】
このプリンタ２００は、イエロー（Ｙ）、マゼンタ（Ｍ）、シアン（Ｃ）、およびブラック（Ｂ）の４色のトナーを用いて画像を形成するプリンタであり、単色の画像をプリントすることができるほか、かかる４色のトナー像からなるフルカラーの画像をプリントすることができる。
【００６５】
図１にも示す制御部２１０内に備えられたレーザ光変調部２１１では、画像処理装置１２０から送られてきた撮影画像や地図画像に基づいて、レーザから出射されるレーザ光が変調される。まず、撮影画像に基づいてレーザ光が変調され、記録紙の表面に撮影画像を形成する過程が開始される。
【００６６】
矢印Ａ方向に回転する像担持体ロール２２２は、帯電ロール２２３によって表面が帯電され、その帯電された像担持体ロール２２２の表面を、露光部２２１が変調されたレーザ光で走査露光する。これにより、像担持体ロール２２２の表面に所定の表面電位からなる静電潜像が形成される。
【００６７】
現像ユニット２２４には、内部に９０°間隔で配置された、ＹＭＣＢ各色の現像装置２２４Ｙ，２２４Ｍ，２２４Ｃ，２２４Ｂが備えられている。現像ユニット２２４は矢印Ｂ方向に９０°間隔で回動し、各現像装置２２４Ｙ，２２４Ｍ，２２４Ｃ，２２４Ｂのうちのいずれかを、像担持体ロール２２２に所定の微小間隔を保って近接対向させる。そして、像担持体ロール２２２に近接対向した現像装置から、像担持体ロール２２２の表面に形成された静電潜像にトナーが静電的に付着されて、像担持体ロール２２２の表面にその現像装置に対応する色のトナー像が形成される。
【００６８】
中間転写部２２６は、中間転写ベルト２２６ａが、内側に配置された張架ロール２２６ｂによって矢印Ｃ方向に移動自在に張架されて構成されている。さらに、中間転写ベルト２２６ａと像担持体ロール２２２とが最も近接する一次転写位置には一次転写ロール２２６ｃが配置されており、この一次転写ロール２２６ｃによって転写電圧が中間転写ベルト２２６ａに印加されている。像担持体ロール２２２の表面に形成されたトナー像は、一次転写位置における転写電圧によって中間転写ベルト２２６ａに転写される。
【００６９】
これから形成しようとする画像がカラー画像である場合には、まず、露光部２２１によって像担持体ロール２２２の表面にイエロー（Ｙ）用の静電潜像が形成され、その静電潜像に、現像ユニット２２４の回動によって像担持体ロール２２２に近接対向したイエローの現像装置２２４Ｙからトナーが吸着されて、像担持体ロール２２２の表面にイエローのトナー像が形成され、そのイエローのトナー像が中間転写ベルト２２６ａに転写される。その後、クリーナ２２５によって表面の残留トナーが除去された像担持体ロール２２２の表面に、露光部２２１によって像担持体ロール２２２の表面にマゼンタ（Ｍ）用の静電潜像が形成される。このときには、その静電潜像に、現像ユニット２２４の９０°回動によって像担持体ロール２２２に近接対向したマゼンタの現像装置２２４Ｍからトナーが吸着されて、像担持体ロール２２２の表面にマゼンタのトナー像が形成され、そのマゼンタのトナー像は、中間転写ベルト２２６ａ上に、既に転写されているイエローのトナー像に重ねられて転写される。そして、以下、同様の動作を経て、残るシアン（Ｃ）とブラック（Ｂ）のトナー像が中間転写ベルト２２６ａ上に順次転写される。ここで、中間転写ベルト２２６ａを移動させる張架ロール２２６ｂは、順次転写される各色のトナー像が互いに正確に重なり合うように制御部によって制御される。
【００７０】
また、これから形成しようとする画像がモノクロ画像である場合には、上記と同様の動作を経て、ブラック（Ｂ）のトナー像のみが中間転写ベルト２２６ａに転写される。
【００７１】
このとき、ロール紙収納部２３１に格納されたロール紙２３１ａが位置決めロール２０１によって引き出されて、ロール紙カッター２３４によって所定の寸法に裁断された記録紙や、媒体供給部２３０に格納された、既に裁断された記録シート２３２ａは、複数の搬送ロール２０２によって形成された搬送経路上を搬送される。搬送経路は、下流側で１つの経路に合流し、その１つの経路上に、搬送されてきた記録紙の余白に撮影日時などを印字する印字ヘッド２３５が配置されている。この記録紙は、本発明にいうシートの一例に相当する。
【００７２】
余白への印字が終了した記録紙は、レジストロール２０３によって、作像部２２０の二次転写ロール２２７までタイミングを合わせて搬送され、搬送されてきた記録紙に、既に中間転写ベルト２２６ａに形成されているトナー像が転写される。その結果、この記録紙の表面に撮影画像を表わすトナー像が形成される。
【００７３】
以上説明したような手順を経て、表面にトナー像が転写された記録紙は、搬送ベルト２０４によって一次定着部２４０に搬送される。この一次定着部２４０で記録紙に加熱および加圧処理が施されると、トナー像が記録紙に定着される。
【００７４】
一次定着部２４０で処理を施された記録紙は、１つ目の案内部２５０ａによって、レジストロール２０３に向けて回送される第１搬送経路Ｌ１と、二次定着部２７０へ向かう第２搬送経路Ｌ２とに振り分けられて案内される。第１搬送経路Ｌ１は、記録紙を反転させて、初めにトナー像が定着された表面とは逆の裏面にトナー像が定着されるように記録紙を回送するための経路であり、第２搬送経路Ｌ２は、写真画像レベルの高画質を得るためのさらなる処理を記録紙に施すための経路である。
【００７５】
図１に示す画像処理装置１２０からレンチキュラーレンズ用地図画像が入力された場合には、記録紙は、表面に撮影画像を表わすトナー像が形成された後、第１搬送経路Ｌ１に案内される。第１搬送経路Ｌ１を搬送されてきた記録紙は、表裏面が反転されて、レジストロール２０３に向けて回送され、さらに、二次転写ロール２２７に再搬送される。記録紙が二次転写ロール２２７に搬送されると、上述した一連の画像形成処理が記録紙の裏面に施され、裏面にレンチキュラーレンズ用地図画像を表わすトナー像が形成される。
【００７６】
一次定着が終了し、両面、あるいは片面にトナー像が形成された記録紙は、第２搬送経路Ｌ２に案内される。第２搬送経路Ｌ３に案内された記録紙は、第２搬送経路Ｌ２上に配置された二次定着部２７０に搬送される。
【００７７】
この二次定着部２７０では、まず、一次定着部２４０で記録紙に定着されたトナー像が加熱され溶融されるとともに、溶融されたトナー像の表面が、平滑な光沢面を有する定着ベルトに押圧される。さらに、光沢面に張り付いた状態の記録紙が冷却されることによって、記録紙上のトナー像が均一に均された状態で凝固し、写真画像に迫る光沢を有する高画質の画像が得られる。記録紙の両面それぞれにトナー像を形成する、露光部２２１，像担持体ロール２２２，現像装置２２４，中間転写部２２６，一次定着部２４０、および二次定着部２７０等を合わせたものは、本発明の画像出力装置における画像出力部の一例に相当する。
【００７８】
二次定着部２７０を経た記録紙は、２つ目の案内部２５０ｂによって、レンチキュラーレンズシート貼付部２６０を回避する第３搬送経路Ｌ３と、レンチキュラーレンズシート貼付部２６０へ向かう第４搬送経路Ｌ４とに振り分けられて案内される。
【００７９】
第１搬送経路Ｌ１を経て記録紙の裏面にレンチキュラーレンズ用地図画像を表わすトナー像が形成された場合には、記録紙は、第４搬送経路Ｌ４に案内される。第４搬送経路Ｌ４を搬送されてきた記録紙は、レンチキュラーレンズシート貼付部２６０において、レンチキュラーレンズ格納部２３３から搬送されてくるレンチキュラーレンズシート２３３ａが裏面に貼り付けられる。このレンチキュラーレンズシート貼付部２６０は、本発明の画像出力装置におけるレンズ貼り付け部の一例に相当する。また、記録紙の、撮影画像を表わすトナー像が出力された表面は、本発明にいう第１面にあたり、レンチキュラーレンズ用地図画像を表わす地図画像が出力されて、さらにレンチキュラーレンズシート２３３ａが貼り付けられた裏面は、本発明にいう第２面に相当する。
【００８０】
レンチキュラーレンズシート貼付部２６０を経た、あるいはレンチキュラーレンズシート貼付部２６０を回避した記録紙は、第３搬送経路Ｌ３および第４搬送経路Ｌ４の下流側に配置されたＸＹカッター２８０に搬送される。ＸＹカッター２８０は、記録紙を搬送方向に対して垂直に裁断する第１カッター２８１と、搬送方向に沿って裁断する第２カッター２８２とからなり、これら第１カッター２８１および第２カッター２８２は搬送経路上に直列に配置されている。また、第１カッター２８１と第２カッター２８２との間、および第２カッター２８２の下流側には位置決めロール２０１が配置され、これらの位置決めロール２０１が、ＸＹカッター２８０に対する記録紙の位置決めを行なう。これらの位置決めロール２０１による、記録紙の位置決めが、制御部２１０によるこれらの位置決めロール２０１に対する制御によって実行される。ＸＹカッター２８０によって断裁された記録紙は後述のソータ２９０にそのまま搬送されてスタックされる。
【００８１】
以上のようにして、プリンタ２００において、用紙上に写真画質を有するトナー画像が形成される。
【００８２】
ここで、図１に示すプリントシステム１０においては、画像処理装置１２０の一部と、プリンタ２００の一部とが合わさって、本発明の画像出力装置の一実施形態として動作する。以下では、本発明の画像出力装置の一実施形態を使って、記録紙の表面に撮影画像をプリント出力し、記録紙の裏面にレンチキュラーレンズ用地図画像をプリント出力する一連の処理について、具体的な例を挙げて説明する。
【００８３】
図９は、撮影画像を取得して、その撮影画像を記録紙の表面にプリント出力し、撮影画像の撮影場所が記された地図画像を記録紙の裏面にプリント出力する一連の処理を示すフローチャートである。
【００８４】
まず、図５に示す撮影画像取得部４１０では、図１に示すスキャナ１１０で読み取られて得られた撮影画像や、図３に示す小型記憶媒体１６３から読み取られた撮影画像が、１ジョブ分（写真フィルム１本分、あるいは小型記憶媒体１つ分）ずつ取得される（図９のステップＳ１１）。取得された撮影画像は、画像補正部４２０に送られる。
【００８５】
また、撮影画像取得部４１０では、撮影画像といっしょに、撮影画像に付加された付加情報も取得される（図９のステップＳ１２）。取得された付加情報は、地図作成部４３０に送られる。
【００８６】
画像補正部４２０に送られてきた撮影画像は、画像補正部４２０において、上述した赤目補正処理や階調補正処理といった所定の画像補正処理が施される（図９のステップＳ１３）。画像補正処理が施された撮影画像は、外部インタフェース１７７を介してプリンタ２００に送られる。
【００８７】
また、地図作成部４３０では、撮影画像取得部４１０から送られてきた付加情報に、撮影画像の撮影場所を表わす位置情報が含まれているか否かが判定される。位置情報が含まれていないときには（図９のステップＳ１４：Ｎｏ）、地図作成部４３０において地図画像の作成が行われず、画像補正部４２０からプリンタ２００に送られた撮影画像が、上述した一連の画像形成処理を経て、記録紙の表面にプリント出力される（図９のステップＳ２４）。
【００８８】
付加情報に位置情報が含まれているときには（図９のステップＳ１４：Ｙｅｓ）、以下に示すような手順で、位置情報が表わす撮影画像が記された地図画像が作成される（図９のステップＳ１５）。
【００８９】
まず、地図作成部４３０では、地図ＤＢ４５０に保存された、相互に縮尺の異なる複数の基本地図画像が取得される。
【００９０】
図１０は、地図ＤＢ４５０に保存された複数の基本地図画像と、それら基本地図画像に基づいて作成された複数の地図画像の一例を示す図である。
【００９１】
図１０には、縮尺が小さい広範囲地図画像５１（図１０のパート（Ａ）参照）と、縮尺が中程度の中範囲地図画像５２（図１０のパート（Ｂ）参照）と、縮尺が大きい詳細地図画像５３（図１０のパート（Ｃ）参照）の３つの基本地図画像が示されている。尚、本来は、広範囲地図画像５１、中範囲地図画像５２、および詳細地図画像５３は、図１０に示されているよりもかなり広い範囲の領域が示されており、また、詳細地図画像５３の大きさが最も大きいはずであるが、ここでは、説明の便宜上、それらの基本地図画像から撮影場所付近の領域が切り出された一部分のみが示されている。
【００９２】
また、図１０には、広範囲地図画像５１、中範囲地図画像５２、および詳細地図画像５３上に、撮影場所Ｐと、撮影方向を示す矢印６１と、撮影場所を結ぶ軌跡６２が付加された広範囲地図画像５１´（図１０のパート（Ｄ）参照）、中範囲地図画像５２´（図１０のパート（Ｅ）参照）、および詳細地図画像５３´（図１０のパート（Ｆ）参照）も示されている。以下では、広範囲地図画像５１、中範囲地図画像５２、および詳細地図画像５３に基づいて、広範囲地図画像５１´、中範囲地図画像５２´、および詳細地図画像５３´を作成する手順について説明する。
【００９３】
地図作成部４３０は、広範囲地図画像５１、中範囲地図画像５２、および詳細地図画像５３それぞれにおいて、位置情報が示す撮影場所Ｐをプロットし、さらに、その撮影場所Ｐを中心として所定の大きさの枠でそれらの基本地図画像を切り取る。
【００９４】
ここで、画像処理装置１２０には、どの期間内に撮影された撮影画像をひとまとまりとみなすか、という撮影期間を入力するための設定画面が予め用意されている。オペレータがその設定画面に従って、図１のマウス１５０などで撮影期間を入力すると（図９のステップＳ１６）、その入力された撮影期間が地図作成部４３０に伝えられる。
【００９５】
地図作成部４３０では、３つの広範囲地図画像５１、中範囲地図画像５２、詳細地図画像５３上に、伝えられた撮影期間内に撮影された全ての撮影画像それぞれの位置情報が示す撮影場所Ｐをプロットし、それら撮影場所を結ぶ軌跡６２を付加する（図９のステップＳ１７）。軌跡６２は、本発明にいう移動経路の一例にあたる。
【００９６】
また、付加情報に撮影方位を表わす撮影方位情報が含まれているときには（図９のステップＳ１８：Ｙｅｓ）、３つの広範囲地図画像５１、中範囲地図画像５２、詳細地図画像５３に記された撮影場所Ｐ上に、その撮影方位を指し示す矢印６１を付加する（図９のステップＳ１９）。矢印６１は、本発明にいう撮影方向の一例に相当する。
【００９７】
このような手順で、広範囲地図画像５１´、中範囲地図画像５２´、および詳細地図画像５３´が生成される。
【００９８】
以上のように生成された広範囲地図画像５１´、中範囲地図画像５２´、および詳細地図画像５３´は、地図変換部４４０に送られる。地図変換部４４０では、広範囲地図画像５１´が図６パート（Ａ）に示す左側の画像３１Ａとみなされ、中範囲地図画像５２´が中央の画像３１Ｂとみなされ、詳細地図画像５３´が右側の画像３１Ｃとみなされて、上述した手順で、広範囲地図画像５１´、中範囲地図画像５２´、詳細地図画像５３´が組み合わされたレンチキュラーレンズ用地図画像が生成される（図９のステップＳ２０）。生成されたレンチキュラーレンズ用地図画像も、撮影画像と同様に、外部インタフェース１７７を介してプリンタ２００に送られる。
【００９９】
撮影画像、およびレンチキュラーレンズ用地図画像が送られてくると、プリンタ２００では、まずは撮影画像に基づいてレーザ光が変調され、露光部２２１，像担持体ロール２２２，現像装置２２４，中間転写部２２６，一次定着部２４０などによって、記録紙の表面に撮影画像が形成される（図９のステップＳ２１）。
【０１００】
続いて、第１搬送経路Ｌ２を経由することによって、記録紙の表裏面が反転されて、記録紙が二次転写ロール２２７に再搬送される。今度は、レンチキュラーレンズ用地図画像に基づいてレーザ光が変調され、記録紙の裏面にレンチキュラーレンズ用地図画像が形成される（図９のステップＳ２２）。
【０１０１】
表面に撮影画像が形成され、裏面にレンチキュラーレンズ用地図画像が形成された記録紙は、第２搬送経路Ｌ２によって二次定着部２７０に搬送され、二次定着が施される。さらに、第４搬送経路Ｌ４によってレンチキュラーレンズ貼り付け部２６０に搬送され、レンチキュラーレンズ貼り付け部２６０において、記録紙の裏面にレンチキュラーレンズ２３３ａが貼り付けられる（図９のステップＳ２３）。
【０１０２】
図１１は、表面に撮影画像、裏面にレンチキュラーレンズ用地図画像が形成された記録紙の一例を示す図である。
【０１０３】
記録紙５０の表面５０Ａには、撮影画像５０´がプリント出力されており、記録紙５０の裏面５０Ｂには、撮影画像５０´の撮影場所を中心とした３つの縮尺の広範囲地図画像５１´、中範囲地図画像５２´、詳細地図画像５３´に基づいて作成されたレンチキュラーレンズ用画像がプリント出力されており、さらに、レンチキュラーレンズシート４０が貼り付けられている。レンチキュラーレンズ用画像は、左端から眺めると、一番縮尺の小さい広範囲地図画像５１´が再現され、中央から眺めると、中程度の縮尺の中範囲地図画像５２´が再現され、右端から眺めると、一番縮尺の大きい詳細地図画像５３´が再現される。このように、本実施形態によると、裏面を眺める方向に応じて、撮影場所が記された複数縮尺の地図画像それぞれを本来の大きさで見やすく再現することができる。このため、ユーザは、所望の縮尺の地図画像で撮影場所を確認することができ、さらに、遠くにある山と、近くにある神社といった遠近両方の被写体を容易に特定することができる。
【０１０４】
ここで、上記説明では、本発明の画像出力装置における撮影画像取得部と画像変換部とが画像処理装置１２０に備えられ、本発明の画像出力装置における画像出力部とレンズ貼り付け部とがプリンタ２００に備えられたプリントシステムが示されているが、本発明の画像出力装置は、これらの要素が全て同じ装置内に備えられたものであってもよい。
【０１０５】
また、上記説明では、本発明の画像出力装置における地図作成部の一例として、予め保存された基本地図画像から所定範囲内の領域を切り抜いて地図画像を作成する地図作成部が示されているが、本発明の画像出力装置における地図作成部は、例えば、予め、緯度、経度、高度、ランドマークなどといった各種情報が保存されており、それらの各種情報に基づいて地図画像を作成するものであってもよい。
【図面の簡単な説明】
【０１０６】
【図１】画像データに基づいて画像を写真プリントするプリントシステムの外観斜視図である。
【図２】スキャナ１１０の構成を示す模式図である。
【図３】画像処理装置１２０のハードウェア構成図である。
【図４】本発明の画像変換プログラムの一実施形態である画像処理プログラムを示す図である。
【図５】画像処理装置１２０の機能ブロック図である。
【図６】レンチキュラーレンズ用画像を示す模式図である。
【図７】レンチキュラーレンズ用画像３２と、そのレンチキュラーレンズ用画像３２に貼り付けられたレンチキュラーレンズとを上からみた図である。
【図８】プリンタ２００の内部構造を示す模試図である。
【図９】撮影画像を取得して、その撮影画像を記録紙の表面にプリント出力し、撮影画像の撮影場所が記された地図画像を記録紙の裏面にプリント出力する一連の処理を示すフローチャートである。
【図１０】地図ＤＢ４５０に保存された複数の基本地図画像の一例を示す図である。
【図１１】表面に撮影画像、裏面にレンチキュラーレンズ用地図画像が形成された記録紙の一例を示す図である。
【符号の説明】
【０１０７】
１０    プリントシステム
２０    写真フィルム
１００    画像入力機
１１０    スキャナ
１１１    光源
１１２Ａ    ＬＥＤ
１１２Ｂ    拡散ボックス
１１２Ｃ    温調ユニット
１１３    撮像レンズ
１１４    ＮＤフィルタ
１１５    ＣＣＤ
１１６    ＣＣＤ基板
１１７    位置ずらしピエゾ
１１８    Ａ／Ｄ変換器
１１９    フィルムキャリア
１２０    画像処理装置
１３０    ＣＲＴディスプレイ
１４０    キーボード
１５０    マウス
１６０    本体
１６２    小型記憶媒体ドライブ
１６３    小型記憶媒体
１６４    ＣＤ−ＲＯＭドライブ
１６５    ＣＤ−ＲＯＭ
１７１    ＣＰＵ
１７２    ＲＡＭ
１７３    ＲＯＭ
１７４    制御インタフェース
１７５    画像インタフェース
１７６    ハードディスク
１７７    外部インタフェース
１７８    バス
２００    プリンタ
２０１    位置決めロール
２０３    レジストロール
２１０    制御部
２１１    レーザ光変調部
２２０    作像部
２２１    露光部
２２２    像担持体ロール
２２３    帯電ロール
２２４    現像ユニット
２２４Ｙ，２２４Ｍ，２２４Ｃ，２２４Ｂ    現像装置
２２５    クリーナ
２２６    中間転写部
２２６ａ    中間転写ベルト
２２６ｂ    張架ロール
２２６ｃ    一次転写ロール
２２７    二次転写ロール
２３０    媒体供給部
２３１    ロール紙収納部
２３１ａ    ロール紙
２３２ａ    記録シート
２３３    レンチキュラーレンズ格納部
２３３ａ    レンチキュラーレンズシート
２３４    ロール紙カッター
２３５    印字ヘッド
２４０    一次定着部
２５０    案内部
２６０    レンチキュラーレンズシート貼付部
２７０    二次定着部
２８０    ＸＹカッター
２８１    第１カッター
２８２    第２カッター
２９０    ソータ
３０１    画像処理プログラム
３１０    撮影画像取得部
３２０    画像補正部
３３０    地図作成部
３４０    地図変換部
４１０    撮影画像取得部
４２０    画像補正部
４３０    地図作成部
４４０    地図変換部
４５０    地図ＤＢ
【図１】
2006208685.tif 000003
【図２】
2006208685.tif 000004
【図３】
2006208685.tif 000005
【図４】
2006208685.tif 000006
【図５】
2006208685.tif 000007
【図６】
2006208685.tif 000008
【図７】
2006208685.tif 000009
【図８】
2006208685.tif 000010
【図９】
2006208685.tif 000011
【図１０】
2006208685.tif 000012
【図１１】
2006208685.tif 000013